(57)【要約】【課題】  精度が十分でない測位方法によって得られた測位結果の精度を向上させる。【解決手段】  測位要求端末２０の位置を推定する測位サーバ１０は、リファレンス端末２１についての同じ位置における低精度及び高精度の測位方法による測位結果を記憶するリファレンスデータベース１１と、測位要求端末２０の測位結果を取得する測位結果取得部１３と、測位要求端末２０の測位結果によって示される位置から所定の距離にあるリファレンス端末２１の測位結果に係る情報を抽出する抽出部１４と、抽出された情報に基づくリファレンス端末２１の２つの測位結果間の差分を用いて測位要求端末２０の測位結果を補正する補正部１５と、補正された測位結果を出力する出力部１６とを備える。【選択図】  図１
2010151629.tif 000002
【特許請求の範囲】
【請求項１】
移動通信端末の位置を推定する測位システムであって、
リファレンス用の通信端末についての同じ位置における低精度の測位方法による第１の測位結果と、高精度の測位方法による第２の測位結果とを対応付けて記憶するリファレンスデータベースと、
測位対象の移動通信端末についての測位結果を取得する測位結果取得手段と、
前記測位結果取得手段によって取得された測位結果によって示される位置から所定の距離にある前記リファレンス用の通信端末についての前記第１の測位結果及び前記第２の測位結果に係る情報を前記リファレンスデータベースから抽出する抽出手段と、
前記抽出手段によって抽出された情報に基づく前記リファレンス用の通信端末についての前記第１の測位結果よって示される位置と前記第２の測位結果によって示される位置との差分を用いて、前記測位結果取得手段によって取得された測位結果を補正する補正手段と、
前記補正手段によって補正された測位結果を出力する出力手段と、
を備える測位システム。
【請求項２】
前記リファレンス用の移動通信端末についての前記第１の測位結果と前記第２の測位結果とを取得して、前記リファレンスデータベースに格納する登録手段を更に備える請求項１に記載の測位システム。
【請求項３】
前記リファレンスデータベースは、前記第２の測位結果に対応付けて、前記第２の測位結果の精度を示す情報を記憶しており、
前記測位結果取得手段は、前記測位対象の移動通信端末についての測位結果の精度を示す情報を取得し、
前記抽出手段は、前記測位結果取得手段によって取得された前記測位対象の移動通信端末についての測位結果の精度を示す情報と前記リファレンスデータベースに記憶された前記第２の測位結果の精度を示す情報とを比較して、比較結果にも基づいて、前記第１の測位結果及び前記第２の測位結果に係る情報を前記リファレンスデータベースから抽出する、
ことを特徴とする請求項１又は２に記載の測位システム。
【請求項４】
前記低精度の測位方法は、電波の発信源と前記リファレンス用の通信端末との間で送受信された電波に基づいて当該リファレンス用の通信端末の位置を算出する方法であり、
前記測位対象の移動通信端末についての測位の測位方法は、電波の発信源と当該測位対象の移動通信端末との間で送受信された電波に基づいて当該測位対象の移動通信端末の位置を算出する方法である、
ことを特徴とする請求項１〜３のいずれか一項に記載の測位システム。
【請求項５】
前記リファレンスデータベースは、記憶している前記第１の測位結果と、前記低精度の第１の測位結果によって示される位置の算出に用いられた前記発信源を示す情報を併せて記憶しており、
前記測位結果取得手段は、測位対象の移動通信端末についての測位方法による測位結果と併せて、当該測位結果によって示される位置の算出に用いられた前記発信源を示す情報を取得し、
前記抽出手段は、前記リファレンスデータベースによって記憶された前記発信源を示す情報と前記測位結果取得手段によって取得された前記発信源を示す情報とを比較し、比較結果に基づいて、前記第１の測位結果及び前記第２の測位結果に係る情報を前記リファレンスデータベースから抽出する、
ことを特徴とする請求項４に記載の測位システム。
【請求項６】
前記リファレンスデータベースは、前記第１及び前記第２の測位結果に対応付けて、前記リファレンス用の通信端末の移動速度を示す情報を記憶しており、
前記測位結果取得手段は、前記測位対象の移動通信端末の移動速度を示す情報を取得し、
前記抽出手段は、前記測位結果取得手段によって取得された前記測位対象の移動通信端末の移動速度を示す情報と前記リファレンスデータベースに記憶された前記リファレンス用の通信端末の移動速度を示す情報とを比較して、比較結果にも基づいて、前記第１の測位結果及び前記第２の測位結果に係る情報を前記リファレンスデータベースから抽出する、
ことを特徴とする請求項１〜５のいずれか一項に記載の測位システム。
【請求項７】
前記リファレンスデータベースは、前記第１及び前記第２の測位結果に対応付けて、それらの測位が行われた時刻を記憶しており、
前記測位結果取得手段は、前記測位対象の移動通信端末の測位結果が取得された時刻を示す情報を取得し、
前記抽出手段は、前記測位結果取得手段によって取得された前記測位対象の移動通信端末の測位結果が取得された時刻を示す情報と前記リファレンスデータベースに記憶された前記リファレンス用の通信端末の測位が行われた時刻を示す情報とを比較して、比較結果にも基づいて、前記第１の測位結果及び前記第２の測位結果に係る情報を前記リファレンスデータベースから抽出する、
ことを特徴とする請求項１〜６のいずれか一項に記載の測位システム。
【請求項８】
前記補正手段は、前記抽出手段によって複数の前記第１の測位結果及び前記第２の測位結果が抽出された場合、前記第１の測位結果及び前記第２の測位結果の少なくとも何れかにより示される位置に応じて前記差分を重み付けして、前記測位結果取得手段によって取得された測位結果を補正することを特徴とする請求項１〜７のいずれか一項に記載の測位システム。
【請求項９】
リファレンス用の通信端末についての同じ位置における低精度の測位方法による第１の測位結果と、高精度の測位方法による第２の測位結果とを対応付けて記憶するリファレンスデータベースを備え、移動通信端末の位置を推定する測位システムによる測位方法であって、
測位対象の移動通信端末についての測位結果を取得する測位結果取得ステップと、
前記測位結果取得ステップにおいて取得された測位結果によって示される位置から所定の距離にある前記リファレンス用の通信端末についての前記第１の測位結果及び前記第２の測位結果に係る情報を前記リファレンスデータベースから抽出する抽出ステップと、
前記抽出ステップにおいて抽出された情報に基づく前記リファレンス用の通信端末についての前記第１の測位結果よって示される位置と前記第２の測位結果によって示される位置との差分を用いて、前記測位結果取得ステップにおいて取得された測位結果を補正する補正ステップと、
前記補正ステップにおいて補正された測位結果を出力する出力ステップと、
を含む測位方法。
【発明の詳細な説明】
【技術分野】
【０００１】
本発明は、移動通信端末の位置を推定する測位システム及び測位方法に関する。
【背景技術】
【０００２】
従来から、移動通信端末の位置を推定する方法として、基地局から発信される電波の受信状況を利用するものがある。この方法では、移動通信端末と基地局との間で送受信される電波の伝送遅延（例えばＲＴＴ：Round Trip Time）や強度の減衰量から基地局からの距離を推定して、あるいは、電波に含まれる情報から基地局からの方向を推定して、移動通信端末の位置を推定する（例えば、非特許文献１及び２参照）。
【非特許文献１】Yulin Zhao，“Standardization of Mobile Phone Positioning for 3G Systems”，IEEE CommunicationsMagazine，p.p.108-116，July 2002．
【非特許文献２】Samir S.Soliman and Charles E. Wheatley，“Geolocation technologiesand applications for third generation wireless”，Wireless Communications and Mobile Computing，vol.2，p.p.229-251，2002．
【発明の開示】
【発明が解決しようとする課題】
【０００３】
上記の基地局からの電波を用いた測位（基地局測位）は、端末が移動体通信機能を有していれば実行可能であるので、比較的容易に実施することができる。しかしながら、基地局測位は、ＧＰＳ（Global Positioning System）による測位等と比べて精度が十分でなく、精度の向上が求められていた。
【０００４】
本発明は、上記の状況を鑑みてなされたものであり、精度が十分でない測位方法によって得られた測位結果の精度を向上させることができる測位システム及び測位方法を提供することを目的とする。
【課題を解決するための手段】
【０００５】
上記目的を達成するために、本発明に係る測位システムは、移動通信端末の位置を推定する測位システムであって、リファレンス用の通信端末についての同じ位置における低精度の測位方法による第１の測位結果と、高精度の測位方法による第２の測位結果とを対応付けて記憶するリファレンスデータベースと、測位対象の移動通信端末についての測位結果を取得する測位結果取得手段と、測位結果取得手段によって取得された測位結果によって示される位置から所定の距離にあるリファレンス用の通信端末についての第１の測位結果及び第２の測位結果に係る情報をリファレンスデータベースから抽出する抽出手段と、抽出手段によって抽出された情報に基づくリファレンス用の通信端末についての第１の測位結果よって示される位置と第２の測位結果によって示される位置との差分を用いて、測位結果取得手段によって取得された測位結果を補正する補正手段と、補正手段によって補正された測位結果を出力する出力手段と、を備えることを特徴とする。なお、上記の測位結果に係る精度は相対的なものである。即ち、第２の測位結果の精度が第１の測位結果の精度よりも高ければよい。
【０００６】
本発明に係る測位システムでは、測位対象の移動通信端末の位置から所定の距離関係にあるリファレンス用の通信端末についての第１の測位結果よって示される位置と第２の測位結果によって示される位置との差分に基づいて、測位対象の移動通信端末についての測位結果が補正される。従って、測位対象の移動通信端末の実際の位置と測位対象の移動通信端末についての測位結果によって示される位置との差分が、上記の差分と同様の関係であれば、上記の補正によって測位対象の移動通信端末についての測位結果が実際の位置に近づいたものとなる。即ち、本発明に係る測位システムによれば、精度が十分でない測位方法によって得られた測位結果の精度を向上させることができる。
【０００７】
本発明に係る測位システムは、リファレンス用の移動通信端末についての第１の測位結果と第２の測位結果とを取得して、リファレンスデータベースに格納する登録手段を更に備えることが望ましい。この構成によれば、確実にリファレンスデータベースを構成することができ、その結果、本発明を適切かつ確実に実施することができる。
【０００８】
リファレンスデータベースは、第２の測位結果に対応付けて、第２の測位結果の精度を示す情報を記憶しており、測位結果取得手段は、測位対象の移動通信端末についての測位結果の精度を示す情報を取得し、抽出手段は、測位結果取得手段によって取得された測位対象の移動通信端末についての測位結果の精度を示す情報とリファレンスデータベースに記憶された第２の測位結果の精度を示す情報とを比較して、比較結果にも基づいて、第１の測位結果及び第２の測位結果に係る情報をリファレンスデータベースから抽出する、ことが望ましい。この構成によれば、確実に、測位対象の移動通信端末についての測位結果よりも精度が高い第１の測位結果のみを補正に用いることができるため、より適切に測位結果の精度を向上させることができる。
【０００９】
低精度の測位方法は、電波の発信源とリファレンス用の通信端末との間で送受信された電波に基づいて当該リファレンス用の通信端末の位置を算出する方法であり、測位対象の移動通信端末についての測位の測位方法は、電波の発信源と当該測位対象の移動通信端末との間で送受信された電波に基づいて当該測位対象の移動通信端末の位置を算出する方法である、ことが望ましい。この構成によれば、上述した基地局から発信される電波の受信状況を利用するような測位方法による測位結果の精度の向上を、より確実に行うことができる。
【００１０】
リファレンスデータベースは、記憶している第１の測位結果と、低精度の第１の測位結果によって示される位置の算出に用いられた発信源を示す情報を併せて記憶しており、測位結果取得手段は、測位対象の移動通信端末についての測位方法による測位結果と併せて、当該測位結果によって示される位置の算出に用いられた発信源を示す情報を取得し、抽出手段は、リファレンスデータベースによって記憶された発信源を示す情報と測位結果取得手段によって取得された発信源を示す情報とを比較し、比較結果に基づいて、第１の測位結果及び第２の測位結果に係る情報をリファレンスデータベースから抽出する、ことが望ましい。この構成によれば、補正に用いるリファレンス用の通信端末についての測位結果を適切に抽出することができ、測位結果の精度をより向上させることができる。
【００１１】
リファレンスデータベースは、第１及び第２の測位結果に対応付けて、リファレンス用の通信端末の移動速度を示す情報を記憶しており、測位結果取得手段は、測位対象の移動通信端末の移動速度を示す情報を取得し、抽出手段は、測位結果取得手段によって取得された測位対象の移動通信端末の移動速度を示す情報とリファレンスデータベースに記憶されたリファレンス用の通信端末の移動速度を示す情報とを比較して、比較結果にも基づいて、第１の測位結果及び第２の測位結果に係る情報をリファレンスデータベースから抽出する、ことが望ましい。この構成によれば、例えば、測位対象の移動通信端末と一定以内の差の移動速度のリファレンス用の通信端末についての測位結果を補正に用いることができ、適切な補正が可能になる。
【００１２】
リファレンスデータベースは、第１及び第２の測位結果に対応付けて、それらの測位が行われた時刻を記憶しており、測位結果取得手段は、測位対象の移動通信端末の測位結果が取得された時刻を示す情報を取得し、抽出手段は、測位結果取得手段によって取得された測位対象の移動通信端末の測位結果が取得された時刻を示す情報とリファレンスデータベースに記憶されたリファレンス用の通信端末の測位が行われた時刻を示す情報とを比較して、比較結果にも基づいて、第１の測位結果及び第２の測位結果に係る情報をリファレンスデータベースから抽出する、ことが望ましい。この構成によれば、補正に用いるリファレンス用の通信端末についての測位結果を更に適切に抽出することができ、測位結果の精度を更に向上させることができる。
【００１３】
補正手段は、抽出手段によって複数の第１の測位結果及び第２の測位結果が抽出された場合、第１の測位結果及び第２の測位結果の少なくとも何れかにより示される位置に応じて差分を重み付けして、測位結果取得手段によって取得された測位結果を補正することが望ましい。この構成によれば、例えば、測位対象の移動通信端末についての測位結果によって示される位置に近い第１の測位結果及び第２の測位結果をより重く補正に反映させることができ、より適切な補正が可能になる。
【００１４】
ところで、本発明は、上記のように測位システムの発明として記述できる他に、以下のように測位方法の発明としても記述することができる。これはカテゴリが異なるだけで、実質的に同一の発明であり、同様の作用及び効果を奏する。
【００１５】
即ち、本発明に係る測位方法は、リファレンス用の通信端末についての同じ位置における低精度の測位方法による第１の測位結果と、高精度の測位方法による第２の測位結果とを対応付けて記憶するリファレンスデータベースを備え、移動通信端末の位置を推定する測位システムによる測位方法であって、測位対象の移動通信端末についての測位結果を取得する測位結果取得ステップと、測位結果取得ステップにおいて取得された測位結果によって示される位置から所定の距離にあるリファレンス用の通信端末についての第１の測位結果及び第２の測位結果に係る情報をリファレンスデータベースから抽出する抽出ステップと、抽出ステップにおいて抽出された情報に基づくリファレンス用の通信端末についての第１の測位結果よって示される位置と第２の測位結果によって示される位置との差分を用いて、測位結果取得ステップにおいて取得された測位結果を補正する補正ステップと、補正ステップにおいて補正された測位結果を出力する出力ステップと、を含むことを特徴とする。
【発明の効果】
【００１６】
測位対象の移動通信端末の実際の位置と測位対象の移動通信端末についての測位結果によって示される位置との差分が、上記の差分と同様の関係であれば、本発明による補正によって測位対象の移動通信端末についての測位結果が実際の位置に近づいたものとなる。即ち、本発明によれば、精度が十分でない測位方法によって得られた測位結果の精度を向上させることができる
【発明を実施するための最良の形態】
【００１７】
以下、図面とともに本発明に係る測位システム及び測位方法の好適な実施形態について詳細に説明する。なお、図面の説明においては同一要素には同一符号を付し、重複する説明を省略する。
【００１８】
図１に、本実施形態に係る測位システムである測位サーバ１０を示す。測位サーバ１０は、移動通信端末２０の位置を推定する装置である。本実施形態では、移動通信端末２０の測位は、移動通信端末２０からの測位要求に応じて行われるため、測位対象の移動通信端末２０を測位要求端末２０と呼ぶ。測位サーバ１０による測位要求端末２０の測位（の制御）は、移動通信システム（セルラ通信システム）の枠組みを利用して行われる。測位サーバ１０は、移動通信システムに含まれる複数の基地局（セルラ基地局）３０と接続されており各基地局３０との間で情報を送受信することができ、また、基地局３０を介して測位要求端末２０との間で通信を行うことができる。また、測位サーバ１０は、移動通信システムに含まれていてもよい。ここで、基地局３０は、移動通信端末２０との間で電波を送受信する装置であり、それぞれが所定の位置に設けられている。この電波は、後述するように基地局測位に用いられる。即ち、基地局３０は、電波の発信源である。
【００１９】
測位要求端末２０は、例えば、ユーザに携帯される携帯電話機等の装置である。測位要求端末２０は、移動体通信網に接続して通信を行う移動体通信機能を有している。即ち、測位要求端末２０は、移動体通信網に含まれる複数の基地局３０との間で無線通信を行う。測位要求端末２０は、ユーザの操作等をトリガとして測位サーバ１０に測位要求を行うことによって、測位サーバ１０に自端末２０の測位を行わせる。測位要求端末２０は、測位サーバ１０における自端末２０の測位のために用いられる移動体通信による情報を取得する。この情報は、測位サーバ１０において基地局測位（演算）を行うための情報である。測位サーバ１０に送信される測位要求には、この基地局測位用の情報が含められる。
【００２０】
基地局測位とは、具体的には、以下に示すような処理である。測位サーバ１０は、測位要求端末２０から測位サーバ１０に送信された、基地局測位用の情報を受信する。基地局測位測位用の情報は、例えば、測位要求端末２０によって測定されて取得される、測位要求端末２０と基地局３０との間で送受信される電波の伝送遅延（例えばＲＴＴ）や電波の減衰量を示す情報（あるいはそれらの情報を算出するために測定された情報でもよい）、及び基地局３０やセクタを特定する情報（基地局ＩＤ，セクタＩＤ）である。また、基地局測位測位用の情報として、ＴＯＡ（Time of Arrival）及びＡＯＡ（Angle of Arrival）等が用いられてもよい。測位サーバ１０は、上記の電波の伝送遅延等の情報に基づいて、測位要求端末２０と基地局３０との間の距離や方向を算出して、基地局３０の位置情報等を参照して、測位要求端末２０の位置を算出する。ここで、測位サーバ１０には、基地局３０の位置やセクタの方向を示す情報を予め記憶している。なお、上記の基地局測位の方法は、従来から利用されている方法を用いることができる。
【００２１】
本実施形態では、上記の測位要求端末２０以外にもリファレンス端末２１が用いられる。リファレンス端末２１は、測位要求端末２０の位置の推定の際に用いられる情報を測位サーバ１０に提供するリファレンス用の移動通信端末である。リファレンス端末２１は、例えば、（例えば、測位要求端末２０を所持するユーザとは別の）ユーザによって所持されていてもよいし、測位サーバ１０の管理者等によって必要なデータを収集するために所持されていてもよい。リファレンス端末２１は、測位要求端末２０と同様に基地局測位用の情報を取得して、測位サーバ１０に送信する機能を有する。
【００２２】
リファレンス端末２１は、それに加えて、ＧＰＳ衛星４０から送信される、ＧＰＳ測位に用いられる信号の受信機能を有する。リファレンス端末２１には、ＧＰＳ衛星４０からの信号を受信するためのアンテナが設けられており、そのアンテナが用いられて受信が行われる。リファレンス端末２１は、受信したＧＰＳ衛星４０からの信号（ＧＰＳ測位用の情報）を測位サーバ１０に送信する。
【００２３】
上記のＧＰＳ衛星４０は、時刻に応じて所定の場所に位置しており、当該位置から測位に用いられる測位用の信号を送信している。具体的には、ＧＰＳ衛星４０は、高度約２万ｋｍの６個の周回軌道上に４〜５個ずつ配置されており、時間の経過に伴って周回軌道上を移動する。ＧＰＳ衛星４０が送信する測位用の信号には、ＧＰＳ衛星４０を区別して特定するための識別情報、ＧＰＳ衛星４０の軌道を示す情報、及び信号を送信した時刻を示す情報が含まれている。
【００２４】
リファレンス端末２１は、同じ位置において、取得された基地局測位用の情報とＧＰＳ測位用の情報とを対応付けて測位サーバ１０に送信する。リファレンス端末２１からの情報の送信は、例えば、（リファレンス端末２１の）移動体通信網への位置登録時に行われることとしてもよい。また、それ以外でも、例えば、リファレンス端末２１から緊急通報が行われたときや、リファレンス端末２１において位置検索サービスが用いられたときに行われてもよい。なお、リファレンス端末２１からの当該情報の取得及び送信は、測位要求端末２０の測位が行われえる場所（エリア）において、万遍なく行われているものとする。
【００２５】
測位要求端末２０及びリファレンス端末２１は、ＣＰＵ（Central Processing Unit）、メモリ及び無線通信モジュール等のハードウェアによって構成されている。また、測位要求端末２０及びリファレンス端末２１は、複数存在していてもよい（通常、複数存在している）。
【００２６】
ここで測位方式についての説明を行う。先に述べたように、基地局測位の精度は十分ではない。即ち、図２に示すように基地局測位による測位結果によって示される位置５１，５３は実際に端末が存在している位置５２，５４とのずれが発生する。その一方で、ＧＰＳ測位は比較的正確に実際に端末が存在している位置５２，５４を得ることができる。即ち、上記２つの測位方法の比較においては、基地局測位は低精度の測位方法であり、ＧＰＳ測位は高精度の測位方法である。
【００２７】
基地局測位による測位結果の誤差は、図２に示すように基地局３０の位置３１との位置関係等に応じて偏りが発生する場合がある。例えば、図２に示す例では、基地局測位による測位結果によって示される位置５１，５３は、実際に端末が存在している位置５２，５４から基地局３０の位置３１から離れる方向にずれている。本発明では、基地局測位による測位要求端末２０に対する測位結果に生じているずれを、リファレンス端末２１に対する高精度の測位方法及び低精度の測位方法による２つの測位結果を用いて修正して、測位要求端末２０に対する測位結果の精度の向上をさせようとするものである。
【００２８】
引き続いて、測位サーバ１０の機能について説明する。図１に示すように、測位サーバ１０は、リファレンスデータベース１１と、登録部１２と、測位結果取得部１３と、抽出部１４と、補正部１５と、出力部１６とを備えて構成される。
【００２９】
リファレンスデータベース１１は、リファレンス端末２１についての同じ位置における基地局測位による測位結果（第１の測位結果）と、ＧＰＳ測位による測位結果（第２の測位結果）とを対応付けて記憶するデータベースである。具体的には、リファレンスデータベース１１は、図３に示すテーブルにデータを格納することによって上記の情報を保持している。図３に示すテーブルでは、１つの行が１件分のデータ（レコード）を示している。
【００３０】
図３に示すテーブルにおいて「データＩＤ」は、各データを一意に特定する情報である。「推定時刻」は、リファレンス端末２１に対する測位を行った時刻を示す情報である。「高精度推定位置関係」は、リファレンス端末２１に対する高精度の測位方法による測位結果の情報である。本実施形態では、高精度の測位方法はＧＰＳ測位であるので、ＧＰＳ測位による測位結果の情報が格納される。測位演算によって求められた位置を示す情報として「緯度」、「経度」及び「高度」が格納される。
【００３１】
また、当該高精度の測位方法の精度を示す情報である「確度」が格納される。図４に示すように、「確度」は、１から５までの５段階の整数で表され、数値が大きいほど精度がよい（測位の信頼性が高い）ことを示している。「確度」は測位方法（あるいは測位結果により示される情報）によって定められている。例えば、ＤＯＰ（Dilution of Precision）が小さい（例えば、予め設定した閾値より小さい）ＧＰＳ測位による測位結果は確度が５とされ、ＤＯＰが大きいＧＰＳ測位による測位結果は確度が４とされる。また、基地局測位による測位結果は確度が１とされる。
【００３２】
「低精度推定位置関係」は、リファレンス端末２１に対する低精度の測位方法による測位結果の情報である。本実施形態では、低精度の測位方法は基地局測位であるので、基地局測位による測位結果の情報が格納される。具体的には、「高精度推定位置関係」と同様に、測位演算によって求められた位置を示す情報として「緯度」、「経度」及び「高度」が格納される。また、位置を示す情報に対応付けられて「確度」が格納される。また、基地局測位を行うのに（電波を）用いた基地局３０（リファレンス端末２１が受信された電波を発信している基地局３０）を特定する情報である基地局ＩＤ（「ＢＳ１ＩＤ」，「ＢＳ２ＩＤ」，「ＢＳ３ＩＤ」）を格納している。ここで、基地局測位に複数の基地局３０の電波を利用した場合には、複数の基地局ＩＤが格納される。また、上記の基地局３０の情報は、リファレンス端末２１における、測位時のＤＨＯ（Diversity Hand Over）状態又は報知情報が受信可能な基地局３０の情報としてもよい。
【００３３】
「補正値（ｘ）（ｙ）」は、測位要求端末２０の測位結果の補正に用いるデータである。この値は、高精度の測位方法の測位結果によって示される位置からの、低精度の測位方法の測位結果によって示される位置との緯度及び経度の差分（低精度−高精度）であり、例えば直交座標系のデータとして算出される。この差分は、図２における基地局測位による測位結果によって示される位置５１と、実際に端末が存在している位置５２との差分５５である（ＧＰＳ測位によって示される位置が、実際に端末が存在している位置５２とした場合）。
【００３４】
更に具体的には例えば、以下の近似式から算出されえる。
ｘ＝ＡΔλｃｏｓφ１
ｙ＝ＡΔφ
ここで、Ａは地球の赤道半径（＝６３７８１３７ｍ）であり、
Δλ＝λ２−λ１
Δφ＝φ２−φ１
であり、λ２，φ２は、それぞれ低精度の測位方法の測位結果の経度、緯度であり、λ１，φ１は、それぞれ高精度の測位方法の測位結果の経度、緯度である。図３に示すテーブルにおける補正値のデータの単位はｍである。
【００３５】
「移動速度」は、リファレンス端末２１の移動速度を示す情報である。図３に示すテーブルにおける移動速度のデータの単位はｋｍ／ｈである。「移動速度」の情報は、リファレンス端末２１から測位結果（を得るため）の情報と共に測位サーバ１０に受信される。「端末ＩＤ」は、リファレンス端末２１を特定する情報である。図３に示すように、リファレンスデータベース１１には多数の異なるリファレンス端末２１のデータが格納される。但し、リファレンスデータベース１１には１つのリファレンス端末２１のデータのみが格納されていてもよい。また、図３に示す例では、リファレンスデータベース１１には、複数組の基地局測位による測位結果及びＧＰＳ測位による測位結果が格納されているが、１組の基地局測位による測位結果及びＧＰＳ測位による測位結果のみが格納されていてもよい。
【００３６】
なお、本実施形態では、リファレンスデータベース１１に格納されるデータは、実際の（実在の）リファレンス端末２１としているが、必ずしも実際のリファレンス端末２１のデータでなくてもよく、例えば、シミュレーション等で得られたデータでもよい。
【００３７】
登録部１２は、リファレンス端末２１についての高精度の測位方法の測位結果と低精度の測位方法の測位結果とを取得して、リファレンスデータベース１１に格納する登録手段である。登録部１２は、高精度の測位方法の測位結果の取得のためにＧＰＳ測位（演算）を行う。具体的には、登録部１２は、リファレンス端末２１から測位サーバ１０に送信された、リファレンス端末２１がＧＰＳ衛星４０から受信した信号の情報を受信する。続いて、登録部１２は、その情報からＧＰＳ衛星４０の位置、リファレンス端末２１からＧＰＳ衛星４０までの距離等を算出して、リファレンス端末２１の位置を算出する。また、この算出には、リファレンス端末２１によってセルラ通信システムから取得されて測位サーバ１０に送信された、ＧＰＳ衛星４０の位置等を示すアシストデータが用いられてもよい。なお、上記のＧＰＳ測位演算は、従来のＧＰＳ測位演算と同様のものである。また、ＧＰＳ測位演算は必ずしも登録部１２で行われなくてもよく、リファレンス端末２１においてＧＰＳ測位演算が行われて、登録部１２は、その測位結果の情報を受信してもよい。
【００３８】
また、登録部１２は、低精度の測位方法の測位結果の取得のために基地局測位（演算）を行う。具体的には、登録部１２は、リファレンス端末２１から測位サーバ１０に送信された、上述した基地局測位用の情報を受信して、その情報を基にリファレンス端末２１の位置を算出する。また、基地局測位演算は必ずしも登録部１２で行われなくてもよく、リファレンス端末２１において基地局測位演算が行われて、登録部１２はその測位結果の情報を受信してもよい。
【００３９】
登録部１２は、これらの測位結果の情報を、測位演算を行った測位時刻と共にそれぞれ対応付けて、新たなデータとしてリファレンスデータベース１１に登録する。また、基地局測位に係る情報については、基地局測位用の情報に含まれる、基地局測位を行うのに用いた基地局３０を特定する情報をリファレンスデータベース１１に登録する。また、登録部１２は、各測位結果の情報に対して、確度を上述したように測位方法（あるいは測位結果により示される情報）によって定め、測位結果の情報に対応付けてリファレンスデータベース１１に登録する。また、登録部１２は、上記のように算出された２つの測位結果から、上述したように補正値を算出して、測位結果の情報に対応付けてリファレンスデータベース１１に登録する。
【００４０】
また、登録部１２は、リファレンス端末２１からリファレンスデータベース１１に測位結果に対応付けて登録される情報である端末ＩＤ、移動速度の情報等も取得して、測位結果の情報に対応付けてリファレンスデータベース１１に登録する。また、登録部１２は、各測位を行った時刻をリファレンスデータベース１１に登録する。なお、端末ＩＤは、リファレンス端末２１によって予め記憶されており、各測位を行うための情報と併せて測位サーバ１０に送信され、登録部１２によって受信される。また、移動速度の情報は、例えば、リファレンス端末２１が自端末２１の移動速度を検出するセンサを備えており、（各測位を行うための情報が取得されたタイミングで）当該センサによって検出された情報がリファレンス端末２１から測位サーバ１０に送信され、登録部１２によって受信される。移動速度の情報については、上記以外でも、例えば、測位サーバ１０あるいはリファレンス端末２１自身において、測位によって得られた位置の変化に基づいて算出されてもよい。
【００４１】
なお、登録部１２は、測位演算を行うための情報、補正値を算出するための情報を予め記憶しており、その情報に基づいて演算や算出を行う。
【００４２】
測位結果取得部１３は、測位要求端末２０についての測位結果を取得する測位結果取得手段である。測位結果取得部１３によって受信される測位結果を示す情報は、基地局測位による測位結果、即ち、リファレンス端末２１に対する低精度の測位方法の測位結果に相当するものである（但し、必ずしも測位方法が一致している必要は無い）。測位結果取得部１３は、リファレンス端末２１の基地局測位の測位結果の取得と同様に、測位要求として、測位要求端末２０から測位サーバ１０に送信された上述した基地局測位用の情報を受信して、その情報を基に測位要求端末２０の位置を算出する。また、基地局測位演算は必ずしも測位結果取得部１３で行われなくてもよく、測位要求端末２０において基地局測位演算が行われて、測位結果取得部１３はその測位結果の情報を受信してもよい。
【００４３】
また、測位結果取得部１３は、（リファレンス端末２１からの登録部１２の取得と同様に）基地局測位を行うのに用いた基地局３０を特定する情報、測位要求端末２０の測位結果の確度の情報、及び測位要求端末２０の移動速度の情報（これらは、リファレンスデータベース１１から測位要求端末２０の測位結果を補正するために用いられるリファレンス端末２１の測位結果のデータを抽出するための情報である）を、測位要求端末２０から受信することによって取得する。測位結果取得部１３は、取得した測位要求端末２０についての測位結果を抽出部１４及び補正部１５に出力する。また、測位結果取得部１３は、測位要求端末２０についての測位結果に付随する情報（上記の確度等の情報）、及び測位要求端末２０の測位を行った時刻を示す情報（測位要求が行われた時刻としてもよい）を抽出部１４に出力する。
【００４４】
抽出部１４は、リファレンスデータベース１１から、測位結果取得部１３によって取得された測位要求端末２０の測位結果を補正するために用いられるリファレンス端末２１の測位結果のデータを抽出する抽出手段である。抽出部１４は、リファレンスデータベース１１に記憶されたリファレンス端末２１の（全ての）測位結果のデータが抽出部１４に記憶されている所定の条件を満たすか否かを判断して、当該条件を満たすリファレンス端末２１の測位結果を抽出する。
【００４５】
抽出部１４は、測位要求端末２０の測位結果によって示される位置から所定の距離にあるリファレンス端末２１の測位結果を取得する。具体的には、抽出部１４は、測位要求端末２０の測位結果によって示される位置と、リファレンス端末２１のＧＰＳ測位あるいは基地局測位の測位結果によって示される位置との差分（距離）を取って、当該差分（距離）が予め定められた所定の距離（ｘ［ｍ］）以内か否かを判断する。所定の距離以内でないと判断されたリファレンス端末２１の測位結果は、条件を満たさないものと判断される。ここで、上記の所定の距離は、具体的には、測位方式間の測位結果の誤差（大きさや方向等の傾向）がほぼ同様なものとみなせる範囲（誤差が同様の傾向を示す範囲）で適宜定められる。また、比較対象のリファレンス端末２１の測位結果は、ＧＰＳ測位及び基地局測位のいずれのものを用いるのか予め定めておく（以下、比較が行われるものについて同様）。
【００４６】
また、抽出部１４は、測位要求端末２０の測位結果の確度とリファレンス端末２１のＧＰＳ測位による測位結果の確度を比較して、比較結果にも基づいて所定の条件を満たすか否かを判断する。ここで、抽出部１４は、リファレンス端末２１のＧＰＳ測位の確度が測位要求端末２０の測位結果の確度以下と判断した場合、リファレンス端末２１の測位結果は、条件を満たさないものと判断される。これは、リファレンス端末２１のＧＰＳ測位の確度が測位要求端末２０の測位結果の確度以下であった場合、リファレンス端末２１の測位結果を測位要求端末２０の測位結果の補正に用いるのは適当ではないからである。本実施形態においては、基地局測位である測位要求端末２０の測位結果の確度がリファレンス端末２１のＧＰＳ測位による測位結果の確度以上となることは実質的にない。しかしながら、測位要求端末２０の測位の測位方式、及びリファレンス端末２１の測位の２つの測位方式のいずれかを任意の測位方式とした場合、測位要求端末２０の測位結果の確度がリファレンス端末２１の高精度の測位方式による測位結果の確度以上となることがあるので、上記の判断を行うことが望ましい。
【００４７】
また、抽出部１４は、測位要求端末２０に対する基地局測位を行うのに用いた基地局３０を示す情報と、リファレンス端末２１に対する基地局測位を行うのに用いた基地局３０を示す情報とを比較して、比較結果にも基づいて所定の条件を満たすか否かを判断する。ここで、抽出部１４は、測位要求端末２０に対する基地局測位を行うのに用いた基地局３０と、リファレンス端末２１に対する基地局測位を行うのに用いた基地局３０を示す情報とが一致していないと判断した場合、リファレンス端末２１の測位結果は、条件を満たさないものと判断される。これは、基地局測位に同じ基地局３０を用いている場合、測位結果の誤差がほぼ同様になると考えられ、リファレンス端末２１のそのような測位結果を、測位要求端末２０の測位結果の補正に用いるのが適切であると考えられるからである。
【００４８】
また、抽出部１４は、測位要求端末２０の移動速度を示す情報と、リファレンス端末２１の移動速度を示す情報とを比較して、比較結果にも基づいて所定の条件を満たすか否かを判断する。ここで、抽出部１４は、測位要求端末２０の移動速度とリファレンス端末２１の移動速度との差分を取って、当該差分が予め定められた所定の値以内か否かを判断する。所定の値以内でないと判断されたリファレンス端末２１の測位結果は、条件を満たさないものと判断される。測位要求端末２０の移動速度とリファレンス端末２１の移動速度との差分が大きすぎる場合、リファレンス端末２１の測位結果を測位要求端末２０の測位結果の補正に用いるのは適当ではないからである。
【００４９】
また、抽出部１４は、測位要求端末２０の測位時刻（測位結果が取得された時刻）を示す情報と、リファレンス端末２１の測位時刻を示す情報とを比較して、比較結果にも基づいて所定の条件を満たすか否かを判断する。ここで、抽出部１４は、測位要求端末２０の測位時刻とリファレンス端末２１の測位時刻との差分を取って、当該差分が予め定められた所定の値以内か否かを判断する。所定の値以内でないと判断されたリファレンス端末２１の測位結果は、条件を満たさないものと判断される。測位時刻が大きく離れている場合、リファレンス端末２１の測位結果を測位要求端末２０の測位結果の補正に用いるのは適当ではないからである。
【００５０】
抽出部１４は、上記の何れの判断によっても条件を満たさないと判断されなかった（個々の条件全てを満たすと判断された）リファレンス端末２１の測位結果のデータを、上記の所定の条件を満たすものとして測位要求端末２０の測位結果を補正するために用いられるリファレンス端末２１の測位結果として、リファレンスデータベース１１から抽出する。抽出部１４は、抽出したデータを補正部１５に出力する。
【００５１】
なお、抽出部１４による上記の判断は、必ずしも全て行われる必要は無い。用いられるリファレンス端末２１の測位の測位方式や測位を行うエリアの環境等に応じて、上述した判断から適当なものを用いることができる。例えば、移動速度及び測位時刻の情報を用いた判断を省略することとしてもよい。
【００５２】
更に、抽出部１４は、上記の判断以外でも、例えば、予めリファレンスデータベース１１から抽出するリファレンス端末２１の測位結果のデータの数を設定しておき、抽出部１４は、測位要求端末２０の測位結果によって示される位置からリファレンス端末２１のＧＰＳ測位あるいは基地局測位の測位結果によって示される位置が近い順にリファレンス端末２１の測位結果のデータを抽出することとしてもよい。上記の数が１であれば、図２に示すように、最も近いリファレンス端末２１の測位結果のデータを抽出する。
【００５３】
補正部１５は、抽出部１４から入力された情報に基づいて、測位結果取得部１３によって取得された測位要求端末２０の測位結果を補正する補正手段である。この補正は、抽出部１４によって抽出されたリファレンス端末２１の高精度の測位方法の測位結果によって示される位置からの、低精度の測位方法の測位結果によって示される位置との緯度及び経度の差分（即ち、リファレンスデータベース１１に記憶される補正値）に基づいて行われる。
【００５４】
具体的には、補正部１５は、測位結果取得部１３から入力された測位要求端末２０の測位結果により示される位置から、補正値（Ｘ，Ｙ）を減算することによって、補正後の測位要求端末２０の位置を算出する。抽出部１４によって抽出されたリファレンス端末２１の測位結果のデータが１つであれば、そのデータの補正値を用いて補正を行う。この補正は、図２に示すように（補正前）測位要求端末２０の測位結果によって示される位置５３から、リファレンス端末２１の測位結果の差分５５に対応する補正値５６を減算することによって、補正後の測位要求端末２０の位置５４を算出するものである。
【００５５】
一方、抽出部１４によって抽出されたリファレンス端末２１の測位結果のデータが複数であれば、それらのデータの補正値から補正を行うための補正値を算出する。例えば、それらの補正値の平均を求めて、補正を行うための補正値を算出してもよい。具体的には、図５に示すように、抽出部１４によって抽出されたリファレンス端末２１の測位結果のデータが３つ（リファレンス端末２１−１，リファレンス端末２１−２，リファレンス端末２１−３）であり、それぞれの補正値（ｘ，ｙ）が（α１，β１）、（α２，β２）、（α３，β３）であれば、補正を行うための補正値（ｘａ，ｙａ）は以下の式により求める。
ｘａ＝（α１＋α２＋α３）／３
ｙａ＝（β１＋β２＋β３）／３
【００５６】
あるいは、各リファレンス端末２１のＧＰＳ測位及び基地局測位の少なくとも何れかの測位結果により示される位置に応じて、補正値を重み付けして、補正を行うための補正値を算出することが好ましい。これは、（補正前の）測位要求端末２０の測位結果によって示される位置により近いリファレンス端末２１の測位結果によって示される位置の方が誤差の傾向が近くなると考えられるためである。従って、測位要求端末２０の測位結果によって示される位置により近いリファレンス端末２１の測位結果の補正値の重みを大きくする。具体的には、例えば、図５に示すように、抽出部１４によって抽出されたリファレンス端末２１の測位結果のデータが３つであれば、以下の式に基づいて補正を行うための補正値（ｘａ，ｙａ）を算出する。なお、図５において示される３つのリファレンス端末２１は、リファレンス端末２１のＧＰＳ測位及び基地局測位の何れかの測位結果により示される位置である。
ｘａ＝（α１×ａ２＋α２×ａ１＋α３×ｂ１×ａ２／ｂ２）／（ａ２＋ａ１＋ｂ１×ａ２／ｂ２）
ｙａ＝（β１×ａ２＋β２×ａ１＋β３×ｂ１×ａ２／ｂ２）／（ａ２＋ａ１＋ｂ１×ａ２／ｂ２）
【００５７】
なお、図５に示すように辺ａは、リファレンス端末２１−１の位置とリファレンス端末２１−２の位置とを結ぶ辺であり、ａ１：ａ２はその辺ａが測位要求端末２０の位置とリファレンス端末２１−３の位置とを結ぶ直線で辺ａが内分されるときの割合である（ａ１がリファレンス端末２１−１側でａ２がリファレンス端末２１−２側）。辺ｂは、リファレンス端末２１−１の位置とリファレンス端末２１−３の位置とを結ぶ辺であり、ｂ１：ｂ２はその辺ｂが測位要求端末２０の位置とリファレンス端末２１−２の位置とを結ぶ直線で辺ｂが内分されるときの割合である（ｂ１がリファレンス端末２１−１側でｂ２がリファレンス端末２１−３側）。リファレンス端末２１−１の重みはａ２、リファレンス端末２１−２の重みはａ１、リファレンス端末２１−３の重みはｂ１×ａ２／ｂ２となる。なお、上記は内分点の定理（メネラウスの定理）に基づいている。
【００５８】
また、上記のような方法以外でも、測位要求端末２０の測位結果によって示される位置と、リファレンス端末２１の基地局測位又はＧＰＳ測位による測位結果により示される位置との距離に応じて、距離が大きくなると重みが小さくなるように重み付けされてもよい。更に、上記の重み付けは、リファレンス端末２１の各測位結果の確度を用いて行なうこととしてもよい。この場合は、確度が大きいリファレンス端末２１の測位結果の補正値の重みを大きくするように重み付けする。なお、上述した補正の処理の具体例では、補正値として直交座標系の（Ｘ，Ｙ）を用いていた。補正値としては、直交座標系以外でも、例えば、極座標系の補正値＝（距離，方向）を用いることも可能である。
【００５９】
補正部１５は、補正後の測位要求端末２０の測位結果を出力部１６に出力する。また、抽出部１４から入力された情報が無かった場合、即ち条件を満たすデータが無く抽出部１４によってリファレンス端末２１の測位結果のデータが抽出されなかった場合、測位結果取得部１３から入力された測位要求端末２０の測位結果を補正せずに出力部１６に出力する。
【００６０】
出力部１６は、補正部１５によって補正された測位結果を出力する出力手段である。具体的には、出力部１６は、測位要求端末２０に対して測位結果の情報を送信することによって出力を行う。なお、出力は必ずしも測位要求端末２０に対して行われる必要はなく、別の装置等に出力が行われてもよい。以上が、測位サーバ１０の機能構成である。
【００６１】
図６に測位サーバ１０のハードウェア構成を示す。図６に示すように測位サーバ１０は、ＣＰＵ１０１、主記憶装置であるＲＡＭ（Random Access Memory）１０２及びＲＯＭ（Read Only Memory）１０３、通信を行うための通信モジュール１０４、並びにハードディスク等の補助記憶装置１０５等のハードウェアを備えるコンピュータを含むものとして構成される。これらの構成要素がプログラム等により動作することにより、上述した測位サーバ１０の機能が発揮される。
【００６２】
引き続いて、図７のフローチャートを用いて、本実施形態に係る測位サーバ１０で実行される測位処理（測位方法）を説明する。この処理は、例えば、測位サーバ１０によって、測位要求端末２０から移動体通信網を介して測位要求が受信されることによって開始される。なお、上記以外をトリガとして測位処理が開始されてもよい。
【００６３】
また、本処理に先立って、リファレンス端末２１から測位サーバ１０に測位要求端末２０の位置の推定の際に用いられる情報が提供されており、測位サーバ１０では登録部１２によってその情報が受信されてリファレンスデータベース１１への登録が行われている。
【００６４】
本処理では、まず、測位結果取得部１３によって、測位要求端末２０からの測位要求が受信される。続いて、測位結果取得部１３によって、測位要求に含まれる基地局測位用の情報に基づいて測位要求端末２０の基地局測位（演算）が行われ、測位要求端末２０についての測位結果が取得される（Ｓ０１、測位結果取得ステップ）。取得された測位結果の情報は、測位結果取得部１３から抽出部１４及び補正部１５に出力される。また、リファレンスデータベース１１から測位要求端末２０の測位結果を補正するために用いられるリファレンス端末２１の測位結果のデータを抽出するための情報である、測位要求端末２０の測位結果の確度の情報等が測位結果取得部１３から抽出部１４に出力される。
【００６５】
続いて、抽出部１４によって、以下のようにリファレンスデータベース１１からリファレンス端末２１の測位結果のデータの抽出が行われる、まず、抽出部１４によって、測位要求端末２０の測位結果によって示される位置と、リファレンス端末２１の測位結果によって示される位置との差分（距離）を取って、当該差分（距離）が予め定められた所定の距離（ｘ［ｍ］）以内か否かが判断される（Ｓ０２、抽出ステップ）。上記の判断で、所定の距離以内の位置であるリファレンス端末２１の測位結果があるとされた場合、続いて、抽出部１４によって、そのリファレンス端末２１のＧＰＳ測位による測位結果の確度と測位要求端末２０の測位結果の確度が比較される（Ｓ０３、抽出ステップ）。
【００６６】
当該比較によって、ＧＰＳ測位の確度が測位要求端末２０の測位結果の確度よりも高いリファレンス端末２１の測位結果があるとされた場合（Ｓ０４、抽出ステップ）、続いて、抽出部１４によって、そのリファレンス端末２１の基地局測位に用いられた基地局３０を示す情報と、測位要求端末２０に対する基地局測位を行うのに用いた基地局３０を示す情報とが比較される（Ｓ０５、抽出ステップ）。ここで、当該比較によって、リファレンス端末２１に対する基地局測位を行うのに用いた基地局３０を示す情報と、測位要求端末２０に対する基地局測位を行うのに用いた基地局３０とが一致しているとされた（そのようなリファレンス端末２１の測位結果があるとされた）場合には、そのリファレンス端末２１の測位結果のデータが抽出されるデータとして特定される。
【００６７】
Ｓ０２において所定の距離以内の位置であるリファレンス端末２１の測位結果がないとされた場合、Ｓ０４においてＧＰＳ測位の確度が測位要求端末２０の測位結果の確度よりも高いリファレンス端末２１の測位結果がないとされた場合、及びＳ０５においてリファレンス端末２１に対する基地局測位を行うのに用いた基地局３０を示す情報と測位要求端末２０に対する基地局測位を行うのに用いた基地局３０とが、いずれのリファレンス端末２１の測位結果においても一致してないとされた場合の３つの場合には、抽出すべきリファレンス端末２１の測位結果のデータがない旨が抽出部１４から補正部１５に通知される。
【００６８】
その場合、補正部１５によって、測位要求端末２０の測位結果の補正は行われず、補正部１５から出力部１６に測位要求端末２０の測位結果が出力される。続いて、出力部１６によって測位要求端末２０の測位結果の測位要求端末２０への送信等の出力が行われる（Ｓ０６）。
【００６９】
一方で抽出が行われる場合は、抽出部１４によって、特定されたデータがリファレンスデータベース１１から抽出されて補正部１５に出力される（Ｓ０７、抽出ステップ）。続いて、補正部１５によって、抽出されて入力されたリファレンス端末２１の測位結果のデータが１つであるか判断される（Ｓ０８、補正ステップ）。リファレンス端末２１の測位結果のデータが１つであると判断された場合、続いて、補正部１５によって、その一つのデータの補正値が用いられて、測位要求端末２０の測位結果の補正が行われる（Ｓ０９、補正ステップ）。リファレンス端末２１の測位結果のデータが複数であると判断された場合、続いて、補正部１５によって、その複数のデータの補正値に対して、リファレンス端末２１の測位結果により示される位置に応じた重み付けを行い、補正を行うための補正値が算出される。続いて、補正部１５によって、算出された補正値が用いられて、測位要求端末２０の測位結果の補正が行われる（Ｓ１０、補正ステップ）。
【００７０】
Ｓ０９又はＳ１０において補正が行われた測位要求端末２０の測位結果は、補正部１５から出力部１６に出力される。続いて、出力部１６によって、補正された測位要求端末２０の測位結果の測位要求端末２０への送信等の出力が行われる（Ｓ１１、出力ステップ）。以上が本実施形態に係る測位サーバ１０で実行される測位処理である。Ｓ０６又はＳ１１で出力された測位結果は、測位要求端末２０において表示されてユーザに参照される等して利用される。
【００７１】
なお、上記の処理の説明では、リファレンス端末２１の測位結果のデータの抽出の際に、上述したような移動速度及び測位時刻の情報を用いた判断を含めていないがこれらを含めることとしてもよい。また、Ｓ０２〜Ｓ０５の判断に代えて、測位要求端末２０の測位結果によって示される位置からリファレンス端末２１の測位結果によって示される位置が近い順にリファレンス端末２１の測位結果のデータを抽出することとしてもよい。
【００７２】
上述したように本実施形態では、測位要求端末２０の位置から所定の位置関係にあるリファレンス端末２１についての基地局測位による測位結果よって示される位置とＧＰＳ測位による測位結果によって示される位置との差分に基づいて、測位要求端末２０についての測位結果が補正される。上述したように、測位要求端末２０の実際の位置と測位要求端末２０についての測位結果によって示される位置との差分は、リファレンス端末２１における２つの測位結果間の差分と同様の関係となる。従って、上記の補正によって測位要求端末２０についての測位結果が実際の位置に近づいたものとなる。即ち、本実施形態によれば、例えば基地局測位等の精度が十分でない測位方法によって得られた測位結果の精度を向上させることができる。具体的には、基地局測位をＧＰＳ測位並の精度に向上させることができる。
【００７３】
また、本実施形態では、測位要求端末２０の測位は、ＧＰＳ測位を行っていないにもかかわらずＧＰＳ測位と同様の精度とすることができるが、ＧＰＳ測位と比べて簡易な方法であるため測位時間を低減することもできる。
【００７４】
また、本実施形態のようにリファレンス端末２１から実測データを受け付けてリファレンスデータベース１１への登録を行うこととすれば、確実かつデータの豊富なリファレンスデータベース１１を構成することができ、その結果、本発明を適切かつ確実に実施することができる。
【００７５】
また、本実施形態のように、リファレンス端末２１の位置に加えて、測位結果の確度、移動速度、基地局３０の情報及び測位時刻等をリファレンスデータベース１１からのデータの抽出の判断に用いることによって、より適切な補正を行うことでき、その結果、測位結果の精度を更に向上させることができる。但し、これらの判断を全て行う必要は無く、状況や環境等に応じて適宜用いることとすることができる。
【００７６】
また、補正のためにリファレンスデータベース１１から抽出されたデータが複数であった場合、リファレンス端末２１における２つの測位結果間の差分に適当な重み付けをすることによって、より適切な補正が可能になる。例えば、測位要求端末２０についての測位結果によって示される位置に近いリファレンス端末２１の測位結果をより強く補正に反映させることができる。
【００７７】
なお、上述した実施形態では、高精度の測位方式をＧＰＳ測位、低精度の測位方式を基地局測位としたが、必ずしもこのような組み合わせでなくてもよく、同じ位置における２種類の測位精度の異なる測位結果が用いられて補正されればよい。具体的には、例えば、図４に示した各種測位技術のハイブリッド、ＵＷＢ（Ultra Wide Band）、自立航法系、ＲＦＩＤ（Radio Frequency IDentification）及び無線ＬＡＮ（Local Area Network）等による測位結果が、上記の異なる測位結果に含まれていてもよい。また、本実施形態では、測位方法の精度を示す情報として、測位方法によって定められる確度を用いたが、測位毎に得られる測位の精度を示す情報（例えば、上記のＤＯＰ等）が用いられてもよい。
【００７８】
また、本実施形態では、測位要求端末２０の測位は、測位要求端末２０からの測位要求を受信することにより開始されていたが、別の装置からの要求により測位要求端末２０の測位が開始されてもよい。その場合、測位サーバ１０は、測位要求端末２０に対して測位演算に必要な情報を要求する。
【００７９】
続いて、本発明の実施形態の測位方法によるシミュレーションの結果について説明する。本シミュレーションでは、図２に示すように基地局３０の通信エリアであるセルにおいて、測位要求端末２０が当該基地局３０からの電波を用いて基地局測位を行う。本シミュレーションの基地局測位は、ＡＯＡ及びＴＯＡを用いて位置推定をすると仮定し、ＡＯＡ及びＴＯＡには一定の誤差が発生するものとする。また、リファレンス端末２１についての２つの測位結果のデータは予めリファレンスデータベース１１に格納されているものとする（本シミュレーションでは、リファレンスデータベース１１に格納されるリファレンス端末２１についての測位結果のデータの数を１，１０，１００，５００の４パターンとした）。また、図８に示すように、セル内に７個の円状のエリア６０を設定して、それぞれのエリア６０内においてＡＯＡ／ＴＯＡ誤差に相関があるものとした。なお、エリア６０間及びエリア６０外では相関がないものとした。補正に用いられるデータ（リファレンスデータベース１１から抽出されるデータ）は、リファレンス端末２１の高精度の測位方法により示される位置（ＧＰＳ測位を仮定して数ｍ程度の誤差を付与）が、測位要求端末２０の測位結果により示される位置に最も近いもの１つであるとした。
【００８０】
図９にシミュレーションの結果を示すグラフを示す。図９（ａ）は上記の相関値が０．７の場合、図９（ｂ）は上記の相関値が１の場合である。図９において横軸は、測位誤差［ｍ］であり、縦軸は累積分布関数（ＣＤＦ：Cumulative Distribution Function）である。この時の確率は、測位結果の測位誤差がグラフで示される値以下になる確率である。具体的には、図９（ａ）のグラフでは、リファレンスデータベース１１に格納されるリファレンス端末２１についての測位結果のデータの数が１のとき、測位誤差が５０ｍ以下のなる確率はおよそ０．６となる。
【００８１】
また、グラフ中に示される表は、リファレンスデータベース１１に格納されるリファレンス端末２１についての測位結果のデータの数毎に、ＣＤＦが６７％及び９５％になるときの測位誤差［ｍ］を示している。図９のグラフで示すように、本実施形態に係る方法が、従来の基地局測位と比べて大幅に測位誤差を低減させていることがわかる。具体的には、相関値が１、リファレンス端末２１のデータ数が１００の場合（図９（ｂ）に対応）のＣＤＦが６７％において、９２％の改善効果が見られた。この場合、測位精度は７ｍでありシミュレーションで仮定したＧＰＳ測位の誤差とほぼ同等となる。
【図面の簡単な説明】
【００８２】
【図１】本発明の実施形態に係る測位システムである測位サーバの機能構成を示す図である。
【図２】基地局測位の誤差について示した図である。
【図３】リファレンスデータベースに記憶される情報を示すテーブルである。
【図４】測位方法と確度との対応を示す図である。
【図５】測位結果を補正するための補正値の重み付けを説明するための図である。
【図６】本発明の実施形態に係る測位サーバのハードウェア構成を示す図である。
【図７】本発明の実施形態に係る測位サーバで実行される処理（測位方法）を示すフローチャートである。
【図８】実施形態の測位方法によるシミュレーションの条件を示した図である。
【図９】実施形態の測位方法によるシミュレーションの結果を示すグラフである。
【符号の説明】
【００８３】
１０…測位サーバ、１１…リファレンスデータベース、１２…登録部、１３…測位結果取得部、１４…抽出部、１５…補正部、１６…出力部、１０１…ＣＰＵ、１０２…ＲＡＭ、１０３…ＲＯＭ、１０４…通信モジュール、１０５…補助記憶装置、２０…測位要求端末（移動通信端末）、２１…リファレンス端末、３０…基地局、４０…ＧＰＳ衛星。
【図１】
2010151629.tif 000003
【図２】
2010151629.tif 000004
【図３】
2010151629.tif 000005
【図４】
2010151629.tif 000006
【図５】
2010151629.tif 000007
【図６】
2010151629.tif 000008
【図７】
2010151629.tif 000009
【図８】
2010151629.tif 000010
【図９】
2010151629.tif 000011